(57)【特許請求の範囲】
【請求項１】
２n相（但し、ｎは正整数）ＰＳＫ変調方式のデジタル衛星放送信号と２n+1相ＰＳＫ変調方式のデジタル衛星放送信号とを受信するデジタル衛星放送用受信機において、
受信した無線周波のデジタル衛星放送信号を中間周波のデジタル衛星放送信号に変換する第１の周波数変換手段と、
該中間周波のデジタル衛星放送信号を低周波のデジタル衛星放送信号に変換する第２の周波数変換手段と、
該低周波のデジタル衛星放送信号が供給されるデジタル復調手段と
を有し、
該デジタル復調手段は、
該低周波のデジタル衛星放送信号をアナログ／デジタル変換するアナログ／デジタル変換手段と、
該アナログ／デジタル変換手段の出力信号を２n相ＰＳＫ復調もしくは２n+1相ＰＳＫ復調を選択的に行なう２n相／２n+1相ＰＳＫ復調手段と、
該２n相／２n+1相ＰＳＫ復調手段の出力をエラー訂正する訂正手段と、
該２n相／２n+1相ＰＳＫ復調手段の出力のクロックを再生するクロック再生手段と、
該アナログ／デジタル変換手段の出力信号もしくは該２n相／２n+1相ＰＳＫ復調手段の出力信号に含まれる情報に応じて、受信した該デジタル衛星放送信号が２n相ＰＳＫ変調方式のものか２n+1相ＰＳＫ変調方式のものかを判定する判定手段と
を有し、
該判定手段の判定結果に応じて、該２n相／２n+1相ＰＳＫ復調手段と該訂正手段とで２n相ＰＳＫ変調方式に対応した動作と２n+1相ＰＳＫ変調方式に対応した動作との選択切替えを行なわせ、かつ、該クロック再生手段に受信した該デジタル衛星放送信号に対応したクロック再生を行なわせることを特徴とするデジタル衛星放送用受信機。
【請求項２】
請求項１に記載のデジタル衛星放送用受信機において、
ｎ＝２であって、
前記２n相／２n+1相ＰＳＫ復調手段は、前記判定手段の判定結果に応じて、ＱＰＳＫ変調方式のデジタル衛星放送信号と８ＰＳＫ変調方式のデジタル衛星放送信号とを選択復調することを特徴とするデジタル衛星放送用受信機。
【請求項３】
請求項２に記載のデジタル衛星放送用受信機において、
前記ＱＰＳＫ変調方式のデジタル衛星放送信号が入力される第１の高周波入力端子と、
前記８ＰＳＫ変調方式のデジタル衛星放送信号が入力される第２の高周波入力端子と、
前記判定手段の判定結果に応じて、該第１，第２の高周波入力端子のいずれか一方を選択し、入力された前記ＱＰＳＫ変調方式のデジタル衛星放送信号もしくは８ＰＳＫ変調方式のデジタル衛星放送信号を前記第１の周波数変換手段に供給する選択手段と
を有することを特徴とするデジタル衛星放送用受信機。
【請求項４】
請求項１，２または３に記載のデジタル衛星放送用受信機において、
前記第１，第２の周波数変換手段と前記デジタル復調手段とが一体に同一筐体内に配置されていることを特徴とするデジタル衛星放送用受信機。
【請求項５】
請求項１，２，３，または４に記載のデジタル衛星放送用受信機において、
前記デジタル衛星放送信号は、エラー検出訂正コードが付加されたビットストリームに対して２n相ＰＳＫ変調や２n+1相ＰＳＫ変調が行なわれるトレリス符号化が採られており、
前記判定手段及び前記２n相／２n+1相ＰＳＫ復調手段は、トレリス符号化された変調方式の判定と復調に対応していることを特徴とするデジタル衛星放送用受信機。
【請求項６】
少なくとも選局復調手段と、暗号解読手段と、デマルチプレクス手段と、デジタル伸長手段と、映像処理手段と、音声処理手段とからなり、高周波のデジタル衛星放送信号が入力されてビデオ信号と音声信号を出力するデジタル衛星放送用受信機において、
該選局復調手段が請求項１，２，３，４または５のいずれか１つに記載のデジタル衛星放送用受信機であることを特徴とするデジタル衛星放送用受信機。
【請求項７】
少なくとも選局復調手段と、暗号解読手段と、デマルチプレクス手段と、デジタル伸長手段と、映像処理手段と、音声処理手段と、画像表示手段と、スピーカとからなるテレビジョン受信機において、
該選局復調手段が請求項１，２，３，４または５のいずれか１つに記載のデジタル衛星放送用受信機であることを特徴とするテレビジョン受信機。
【請求項８】
少なくとも選局復調手段と、暗号解読手段と、デマルチプレクス手段と、デジタル伸長手段と、映像処理手段と、音声処理手段と、ビデオ録画再生手段とからなるビデオ録画再生装置において、
該選局復調手段が請求項１，２，３，４または５のいずれか１つに記載のデジタル衛星放送用受信機であることを特徴とするビデオ録画再生装置。
【発明の詳細な説明】
【０００１】
【発明の属する技術分野】
本発明は、ＱＰＳＫ変調方式と８ＰＳＫ変調方式といった異なる位相変調方式のデジタル衛星放送を受信するデジタル衛星放送用受信機とこれを用いた装置に関する。
【０００２】
【従来の技術】
デジタル衛星放送では、伝送量や放送内容に応じて異なる位相変調方式が用いられる。例えば、通信衛星ＣＳによるデジタル衛星放送では、ＱＰＳＫ（Quadrature Phase Shift Keying：即ち、４相位相偏移）変調方式が用いられるのに対して、放送衛星ＢＳによるデジタル衛星放送では、８ＰＳＫ（８ Phase Shift Keying：即ち、８相位相偏移）変調方式が検討されている。
【０００３】
ここで、ＰＳＫ変調方式は、デジタル信号に応じて互いに直交する（即ち、互いに９０゜の位相差の）２つのキャリアを位相偏移するものであって、このデジタル信号をｎビット毎に区切り、これらｎビットの“１”，“０”の組合せをデータとして、異なる組み合わせのデータが直交するＩ，Ｑ軸をもつ位相面の異なる位置に配置されるように、上記２つのキャリアを変調するものである。
【０００４】
ＱＰＳＫ変調方式の場合、ｎ＝２であり、上記データとしては、（00),(01),(10),(11)の４通りがあって、夫々毎に２つのキャリアの位相偏移量を異ならせる。図３（ａ）はこのＱＰＳＫ変調方式でのＩ，Ｑ軸を持つ位相面でのデータ点ＤＰの配列（即ち、コンスタレーション）を示すものであって、２ビットの組み合わせの上記各データは図示するように配置される。また、各データ点ＤＰは夫々破線で囲まれた領域内にあるとき、互いに識別可能であり、この破線をデータ識別のためのスライス基準線ＳＬという。この場合には、Ｉ，Ｑ軸が夫々スライス基準線ＳＬとなる。
【０００５】
また、８ＰＳＫ変調方式では、ｎ＝３であり、上記データとしては、(000),(001),(010),(011),(100),(101),(110),(111)の８通りがあり、夫々毎に２つのキャリアの位相偏移量を異ならせる。図３（ｂ）はこの８ＰＳＫ変調方式でのコンスタレーションを示すものであって、３ビットの組み合わせの上記各データは図示するように配置される。各データＤＰの識別のためのスライス基準線ＳＬも破線で図示するようになる。
【０００６】
一般に、デジタル信号のｎビットを単位とするＰＳＫ変調方式では、２n個のデータ点があり、従って、２n相のＰＳＫ変調方式ということになる。
【０００７】
かかるＰＳＫ変調方式によるデジタル信号を復調する場合も、このデジタル信号を互いに９０゜の位相差を有する２つのキャリアで復調する。この場合、図３に示すコンスタレーションのＩ軸に相当する位相のキャリアで復調された信号を復調Ｉ信号、Ｑ軸に相当する位相のキャリアで復調された信号を復調Ｑ信号と夫々呼ぶことにするが、これら復調Ｉ，Ｑ信号から元のｎビットを復元する。このために、ＱＰＳＫ変調方式と８ＰＳＫ変調方式というように、変調方式が異なるデジタル信号では、復調Ｉ，Ｑ信号がその変調方式毎に異なることになる。
【０００８】
このことからして、異なる位相偏移変調方式によるデジタル衛星放送を受信するデジタル衛星放送用受信機では、夫々の変調方式毎に別々に専用のＰＳＫ復調手段が設けられていた。
【０００９】
図７はＱＰＳＫ変調方式によるデジタル衛星放送と８ＰＳＫ変調方式によるデシタル衛星放送とを受信可能とした従来のデジタル衛星放送用受信機の一例を示すブロック図であって、１はハイパスフィルタ、２は前置増幅器、３は可変同調フィルタ、４はＲＦ・ＡＧＣ（無線周波自動利得）増幅器、５はミクサ、６は発振器、７は周波数シンセサイザ、８はバンドパスフィルタ、９はＲＦ・ＡＧＣ制御手段、１０はＩＦ（中間周波）増幅器、１１は発振器、１２は直交検波手段、１３は９０゜移相器、１４はＩＦ・ＡＧＣ増幅器、１５ａ，１５ｂは掛算器、５０はフロントエンド、１６はＡ／Ｄ変換器、１７はＱＰＳＫ復調手段、１８はクロック再生手段、１９はＱＰＳＫ・ＦＥＣ（Forward error Correction）手段、２０はデジタル復調手段、２１はＡ／Ｄ変換器、２２は８ＰＳＫ復調手段、２４はクロック再生手段、２３は８ＰＳＫ・ＦＥＣ手段、２５はデジタル復調手段、１００は高周波入力端子、１０１，１０２は電源端子、１０３はクロック端子、１０４はデータ端子、１０５は電源端子、１０６はＡＧＣ制御端子、１０７は復調Ｉ信号、１０８は復調Ｑ信号、１０９はクロック端子、１１０はデータ端子、１１１はＱＰＳＫ復調信号、１１２は再生クロック信号、１１３はクロック端子、１１４はデータ端子、１１５は８ＰＳＫ復調信号、１１６は再生クロック信号、１１７は制御端子、１１８はデジタル復調信号、１１９は再生クロック信号、２００は選択手段である。
【００１０】
同図において、フロントエンド５０では、電源端子１０５からの電源電圧が供給されて動作状態となり、屋外ユニットのアンテナ（図示せず）から受信された１ＧＨｚ帯のデジタル衛星放送のデジタル変調信号（デジタル衛星放送信号）が入力端子１００から入力され、ハイパスフィルタ１と前置増幅器２と可変同調フィルタ３とによって不要波除去と増幅などの処理がなされた後、ＲＦ・ＡＧＣ制御手段９によって利得制御されるＲＦ・ＡＧＣ増幅器４でレベル調整されてミクサ５に供給される。このミクサ５は発振器６と周波数シンセサイザ７とで周波数変換手段を形成しており、周波数シンセサイザ７が受信機の制御マイコン（図示せず）からクロック端子１０３を介してクロックが供給されて動作し、かつこの制御マイコンからデータ端子１０４を介して供給される情報に応じて発振器６の発振周波数を制御することにより、受信されたデジタル衛星放送信号のうちの希望チャネルのデジタル衛星放送信号がＲＦ（無線周波）信号から、例えば、中間周波数４７９.５ＭＨｚのＩＦ信号に変換される。このＩＦ信号は、バンドパスフィルタ（ＩＦフィルタ）８で不要成分が除去され、ＩＦ増幅器１０で増幅された後、直交検波手段１２に供給される。
【００１１】
なお、このＩＦ増幅器１０から出力されるＩＦ信号からＲＦ・ＡＧＣ制御手段９でＲＦ・ＡＧＣ電圧が生成され、これにより、ＲＦ・ＡＧＣ増幅器４の利得が制御される。
また、電源端子１０１から室外ユニットに電源電圧が供給される。
さらに、周波数シンセサイザ７は発振器６の発振周波数を検出し、これを希望するチャンネルを選局できる周波数にするための制御信号を生成して、電源端子１０２からの電源電圧に重畳し、可変同調フィルタ３と発振器６とに供給する。これにより、可変同調フィルタ３は、希望するチャンネルのデジタル衛星放送信号が通過するように、その通過帯域が設定され、発振器６の発振周波数もこのチャンネルに応じたものに設定される。
【００１２】
この直交検波手段１２では、このＩＦ信号が、ＩＦ・ＡＧＣ手段１４でＡＧＣ制御端子１０６から供給されるＩＦ・ＡＧＣ電圧に応じてレベル調整された後、掛算器１５ａ，１５ｂに供給される。この掛算器１５ａでは、発振器１１からの周波数が上記中間周波数４７９．５ＭＨｚに等しく、位相が固定のキャリアとＩＦ信号とが掛算されて復調Ｉ信号１０７が得られ、また、掛算器１５ｂでは、この発振器１１からのキャリアが９０゜移相器１３で９０゜移送されてＩＦ信号と掛算され、復調Ｑ信号１０８が得られる。これら復調Ｉ信号１０７，復調Ｑ信号１０８はともに、ＱＰＳＫのデジタル復調手段２０と８ＰＳＫのデジタル復調手段２５とに供給される。
【００１３】
ところで、図３のコンスタレーションに示すように、Ｉ，Ｑ軸に対してデータ配置が決められたＱＰＳＫ，８ＰＳＫ変調されて元のデータを復調するためには、復調のためのキャリア（以下、復調キャリアという）の位相がこのコンスタレーションでのＩ，Ｑ軸の位相に正確に一致していなければならない。しかし、直交検波手段１２での発振器１１から出力される復調キャリア及びこれを９０゜移相器１３で移相して得られる復調キャリアは、周波数がＩＦ信号の変調キャリア周波数に一致するものの、位相が固定しているため、ＩＦ信号の変調キャリアに対してランダムであり、従って、このＩＦ信号のコンスタレーションでのＩ，Ｑ軸に対し、ランダムな位相を有している。このため、この直交検出手段１２から出力される復調Ｉ信号１０７，復調Ｑ信号は夫々、コンスタレーションのＩ，Ｑ軸に夫々位相が一致した２つの復調キャリアで直交検出（復調）されたときに得られる真の復調Ｉ信号，復調Ｑ信号を含んだものとなっている。デジタル復調手段２０，２５は夫々、かかる復調Ｉ信号１０７，復調Ｑ信号１０８をＱＰＳＫ，８ＰＳＫ復調して真の復調Ｉ信号，復調Ｑ信号を得るためのものである。
【００１４】
受信されたデジタル衛星放送信号がＱＰＳＫ変調方式によるデジタル変調信号であるときには、デジタル復調手段２０において、供給される復調Ｉ信号１０７と復調Ｑ信号とが、Ａ／Ｄ変換器１６で一旦アナログ／デジタル変換された後、クロック端子１０９からのクロックとデータ端子１１０からの制御用データとで動作するＱＰＳＫ復調手段１７で真の復調Ｉ信号と復調Ｑ信号とにＱＰＳＫ復調され、ＱＰＳＫ・ＦＥＣ手段１９でエラー訂正やデインターリーブなどの処理がなされて元のデジタルデータであるＱＰＳＫ復調信号１１１が得られる。また、クロック再生手段１８で復調信号からクロック信号１１２が再生され、これの所定倍数の周波数のＡ／Ｄ変換器１６の動作クロックが生成される。
【００１５】
同様に、受信されたデジタル衛星放送信号が８ＰＳＫ変調方式によるデジタル変調信号であるときには、デジタル復調手段２５において、供給される復調Ｉ信号１０７と復調Ｑ信号とが、Ａ／Ｄ変換器２１で一旦アナログ／デジタル変換された後、クロック端子１１３からのクロックとデータ端子１１４からの制御用データとで動作する８ＰＳＫ復調手段２２で真の復調Ｉ信号と復調Ｑ信号とに８ＰＳＫ復調され、８ＰＳＫ・ＦＥＣ手段２３でエラー訂正やデインターリーブなどの処理がなされて元のデジタルデータである８ＰＳＫ復調信号１１５が得られる。また、クロック再生手段２４で復調信号からクロック信号１１６が再生され、これの所定倍数の周波数のＡ／Ｄ変換器２１の動作クロックが生成される。
【００１６】
このように、デジタル復調手段２０，２５では、直交検出手段１２からの復調Ｉ信号１０７と復調Ｑ信号１０８とが、Ａ／Ｄ変換器１６，２１でアナログ／デジタル変換された後、ＰＳＫ復調されるのであるが、これら復調Ｉ信号１０７と復調Ｑ信号１０８とはベースバンドの信号であって周波数が充分低く、これにより、Ａ／Ｄ変換器１６，２１はこれら復調Ｉ信号１０７と復調Ｑ信号１０８に対して応答し得るのである。上記の４７９．５ＭＨｚのＩＦ信号に対しては、Ａ／Ｄ変換器１６，２１は応答することができず、直交検出手段１２はＩＦ信号をＡ／Ｄ変換器１６，２１が応答し得る周波数の信号に変換する役目も担っているのである。
【００１７】
デジタル復調手段２０の出力としてのＱＰＳＫ・ＦＥＣ手段２０から出力されるＱＰＳＫ復調信号１１１とクロック再生手段１８で再生されたクロック１１２とが選択手段２００に供給され、同様に、デジタル復調手段２５の出力としての８ＰＳＫ・ＦＥＣ手段２３から出力される８ＰＳＫ復調信号１１５とクロック再生手段２４で再生されたクロック１１６も選択手段２００に供給される。この選局手段２００では、制御端子１１７からの制御情報により、デジタル衛星放送信号としてＱＰＳＫ変調方式によるデジタル変調信号を受信しているときには、デジタル復調手段２０の出力をデジタル復調信号１１８，再生クロック信号１１９として選択出力し、また、デジタル衛星放送信号として８ＰＳＫ変調方式によるデジタル変調信号を受信しているときには、デジタル復調手段２５の出力をデジタル復調信号１１８，再生クロック信号１１９として選択出力する。
【００１８】
【発明が解決しようとする課題】
しかしながら、上記従来のデジタル衛星放送用受信機では、ＱＰＳＫ変調方式の受信信号と８ＰＳＫ変調方式の受信信号毎にＡ／Ｄ変換器とＰＳＫ復調手段とクロック再生手段とＦＥＣ手段とからなるデジタル復調手段が必要であり、しかも、これらは互いに別部品であって、フロントエンドとも別部品であり、これらをテレビジョン受像機やＶＴＲなどの装置に受信部として内蔵すると、夫々のためのスペースが必要となって、これら装置の回路規模の縮小や構成の簡略化を阻害していた。
【００１９】
また、異なる衛星によって異なるデジタル変調方式によるデジタル衛星放送を受信する場合には、夫々の衛星毎のアンテナを必要とするが、従来のデジタル衛星放送用受信機では、これらアンテナをフロントエンドの高周波入力端子に繋ぎ替える必要があり、非常な手間を必要としていた。
【００２０】
本発明の目的は、かかる問題を解消し、構成を簡略化し、回路規模を縮小して、さらには、コストの低減を図ることができるようにしたデジタル衛星放送用受信機とこれを用いた装置を提供することにある。
【００２１】
本発明の他の目的は、使用する複数のアンテナの取替え作業を不要とし、使い勝手を高めることができるようにしたデジタル衛星放送用受信機とこれを用いた装置を提供することにある。
【００２２】
【課題を解決するための手段】
上記目的を達成するために、本発明は、２n相（但し、ｎは正整数）ＰＳＫ変調方式によるデジタル衛星放送信号と２n+1相ＰＳＫ変調方式によるデジタル衛星放送信号とを受信するものであって、受信した高周波のデジタル衛星放送信号を低周波信号に変換する周波数変換手段と、該低周波信号を復調する単一のデジタル復調手段とを備え、該デジタル復調手段は、該低周波信号をアナログ／デジタル変換するＡ／Ｄ変換手段と、該Ａ／Ｄ変換手段の出力信号を２n相ＰＳＫの復調と２n+1相ＰＳＫの復調とを選択的に行なう復調手段と、この復調出力からクロックを再生するクロック再生手段と、この復調出力のエラー訂正を行なうエラー訂正手段と、受信したデジタル衛星放送信号もしくは該デジタル復調手段の復調出力に含まれる情報から受信したデジタル衛星放送信号が２n相ＰＳＫ変調方式によるものか、２n+1相ＰＳＫ変調方式によるものかを判定する判定手段を有し、該判定手段の判定結果に応じて、該復調手段及びエラー訂正手段の動作を２n相ＰＳＫ変調方式に対応したものと２n+1相ＰＳＫに対応したものとに選択切り換えるようにする。
【００２３】
また、本発明は、２n相ＰＳＫ変調方式によるデジタル衛星放送信号を入力する第１の入力手段と、２n+1相ＰＳＫ変調方式によるデジタル衛星放送信号を入力する第２の入力手段と、該第１，第２の入力手段を上記判定手段の判定結果に応じて切り換える切換手段とを備える。
【００２４】
【発明の実施の形態】
以下、本発明の実施形態を図面を用いて説明する。
図１は本発明によるデジタル衛星放送用受信機の第１の実施形態を示すブロック図であって、１０’は低周波増幅器、２６はミクサ手段、２７は発振器、２８はＬＰＦ（ローパスフィルタ）、２９はＡ/Ｄ変換器、３０はＱＰＳＫ／８ＰＳＫ復調手段、３１はＱＰＳＫ／８ＰＳＫ・ＦＥＣ手段、３２はクロック再生手段、３３は復調方式判定手段、３４はデジタル復調手段、１２０はクロック端子、１２１はデータ端子、１２２は復調出力信号、１２３は再生クロック信号、３００は制御用のマイコン（マイクロコンピュータ）であり、図７に対応する部分には同一符号を付けて重複する説明を省略する。
【００２５】
同図において、バンドパスフィルタ８から出力される中間周波のデジタル衛星放送信号（ここでは、ＱＰＳＫ変調方式もしくは８ＰＳＫ変調方式によるものとするが、一般には、２n相もしくは２n+1相ＰＳＫ変調方式によるもの）は、ミクサ手段２６と発振器２７とからなる周波数変換手段でさらに周波数変換されて２７ＭＨｚ程度の低周波のデジタル衛星放送信号となり、ＬＰＦ２８で不要成分が除かれ、低周波増幅器１０’で増幅された後、デジタル復調手段３５に供給される。なお、この低周波増幅器１０’の出力から、ＲＦ・ＡＧＣ制御手段９により、ＡＧＣ電圧が生成される。
【００２６】
デジタル復調手段３４では、供給された低周波のデジタル衛星放送信号がＡ/Ｄ変換器２９によってデジタル変換される。この場合、低周波のデジタル衛星放送信号の変調キャリア周波数が、上記のように、２７ＭＨｚ程度と低いので、Ａ/Ｄ変換器２９はこの低周波のデジタル衛星放送信号に応答する。
【００２７】
Ａ/Ｄ変換器２９の出力信号はＱＰＳＫ／８ＰＳＫ復調手段３０に供給され、キャリア再生してＩ，Ｑ軸の復調によるＰＳＫ復調が行なわれ、また、このＱＰＳＫ／８ＰＳＫ復調手段３０の復調出力から、クロック再生手段３２により、クロック再生が行われる。ＱＰＳＫ／８ＰＳＫ復調手段３０の復調出力はＱＰＳＫ／８ＰＳＫ・ＦＥＣ手段３１でエラー訂正やデインターリーブなどの処理がなされ、復調出力１２２として、クロック再生手段３２からの再生クロック信号１２３とともに、出力される。
【００２８】
ここで、デジタル復調手段３４の全体的な動作は、マイコン３００からクロック端子１２０を介して供給されるクロック信号のタイミングで動作する。また、変調方式判定手段３３は、マイコン３００からデータ端子１２１を介して供給されるデータにより、現在受信しているのはＱＰＳＫ変調方式によるデジタル衛星放送信号であるか、８ＰＳＫ変調方式によるデジタル衛星放送信号であるかを判定し、ＱＰＳＫ変調方式によるデジタル衛星放送信号を受信中であるときには、ＱＰＳＫ／８ＰＳＫ復調手段３０をＱＰＳＫ復調手段として動作させるとともに、ＱＰＳＫ／８ＰＳＫ・ＦＥＣ手段３１をＱＰＳＫの復調出力のエラー訂正やデインターリーブなどの処理動作を行なわせ、また、８ＰＳＫ変調方式によるデジタル衛星放送信号を受信中であるときには、ＱＰＳＫ／８ＰＳＫ復調手段３０を８ＰＳＫ復調手段として動作させるとともに、ＱＰＳＫ／８ＰＳＫ・ＦＥＣ手段３１を８ＰＳＫの復調出力のエラー訂正やデインターリーブなどの処理動作を行なわせる。このマイコン３００からデータ端子１２１に出力される上記データは、ＱＰＳＫ変調方式によるデジタル衛星放送信号と８ＰＳＫ変調方式によるデジタル衛星放送信号とのユーザが選択した方の変調方式を表わすものである。
【００２９】
なお、かかる受信したデジタル衛星放送信号の変調方式の判定は、まず、いずれか一方の変調方式に対する処理動作となるように、ＱＰＳＫ／８ＰＳＫ復調手段３０及びＱＰＳＫ／８ＰＳＫ・ＦＥＣ手段３１を動作させ、これによって得られる復調出力に含まれる繰り返し伝送される既知の情報（例えば、同期信号）を一定期間観測してこの復調出力が有効か否かを判定し、その判定の結果、有効であれば、現在の変調方式の処理動作を継続させ、有効でなければ、他方の変調方式の処理動作になるように、ＱＰＳＫ／８ＰＳＫ復調手段３０及びＱＰＳＫ／８ＰＳＫ・ＦＥＣ手段３１を動作させることにより、変調方式を判定する方法がある。
【００３０】
また、かかる受信したデジタル衛星放送の変調方式の判定は、復調出力１２２に含まれるＰＳＫ変調方式の種類を示す情報から行なうこともできる。
【００３１】
このようにして、この第１の実施形態では、デジタル復調手段３４をＱＰＳＫ，８ＰＳＫのいずれの変調方式にも共用したものであって、デジタル復調手段３４の使用個数を最小にすることができ、しかも、図７に示した従来技術で用いられる直交検出手段１２に比べて回路構成が簡単で部品点数が少ない周波数変換手段（ミクサ手段２６や発振器２７，ＬＰＦ２８からなる）を用いていることから、全体的な構成が簡略化されることになるる。
【００３２】
また、この第１の実施形態では、かかるデジタル復調手段３４をフロントエンド５０に一体部品として１つの筐体に内蔵するものであり、これにより、このフロントエンド５０自体は、図７に示した従来技術でのフロントエンド５０に比べて、若干大型になるものの、図７に示した従来技術での別部品としてのフロントエンド５０とデジタル復調手段２０，２５との組と比べ、全体的な規模としては縮小して占有するスペースも縮小する。このため、この実施形態をデジタル衛星放送を受信するテレビジョン受像機やＶＴＲへ組込みが容易となって、これら装置を大型化することもないし、また、コストの低減などに有効となる。
【００３３】
図２は図１におけるＱＰＳＫ／８ＰＳＫ復調手段３０の一具体例を示すブロック図であって、３０ａ,３０ｂは複素乗算器、３０ｃは発振器、３０ｄ,３０ｅはロールオフフィルタ、３０ｆはキャリア再生手段、３０ｇは識別手段、１３２は低周波のデジタル衛星放送信号、１３３は復調Ｉ信号、１３４は復調Ｑ信号であり、図１に対応する部分には同一符号を付けている。
【００３４】
同図において、低周波増幅器１０’（図１）からの低周波のデジタル衛星放送信号１３２は、上記のように、Ａ/Ｄ変換器２９でアナログ／デジタル変換された後、ＱＰＳＫ／８ＰＳＫ復調手段３０に供給される。
【００３５】
このＱＰＳＫ／８ＰＳＫ復調手段３０では、このＡ/Ｄ変換器２９の出力信号が複素乗算器３０ａ，３０ｂに供給され、発振器３０ｃからの再生キャリアと乗算される。複素乗算器３０ａに供給される再生キャリアと複素乗算器３０ｂに供給される再生キャリアとは互いに９０°の位相差があり、これにより、図で示したコンスタレーションでのＩ，Ｑ軸で復調しようとするものである。複素乗算器３０ａのベースバンドの出力信号はロールオフフィルタ（符号間干渉がなく、過渡応答の減衰が速いＬＰＦ）３０ｄを介してキャリア再生手段３０ｆと識別手段３０ｇとに供給され、同様に、複素乗算器３０ｂのベースバンドの出力信号もロールオフフィルタ３０ｅを介してキャリア再生手段３０ｆと識別手段３０ｇとに供給される。
【００３６】
キャリア再生手段３０ｆでは、ロールオフフィルタ３０ｄ，３０ｅの出力信号から低周波のデジタル衛星放送信号１３２をそのクロック周波数の所定倍数の周波数のサンプルクロックでデジタル化した信号の変調キャリアを再生し、これによって発振器３０ｃを制御することにより、この発振器３０ｃからのキャリアがこの低周波のデジタル衛星放送信号１３２をデジタル化した信号の変調キャリアと周波数が一致し、位相が同期するようにする。このようにして、コスタスループが形成され、複素乗算器３０ａ，３０ｂにおいて、Ａ/Ｄ変換器２９の出力信号が図３に示したコンスタレーションでの正しいＩ，Ｑ軸で同期検波されることになる。
【００３７】
識別手段３０ｇにおいては、ロールオフフィルタ３０ｄ，３０ｅの出力信号が、ＱＰＳＫ変調方式の場合、先の図３で説明したデータ（00),(01),(10),(11)のいずれを表わしているかを順次識別し、８ＰＳＫ変調方式の場合、データ(000),(001),(010),(011),(100),(101),(110),(111)のいずれを表わしているかを順次識別するものである。このために、識別手段３０ｇには、ＱＰＳＫ変調方式の場合、図３（ａ）に示したコンスタレーションでの破線で示すスライス基準線ＳＬに対応するスライスレベルが、８ＰＳＫ変調方式の場合、図３（ｂ）に示したコンスタレーションでの破線で示すスライス基準線ＳＬに対応するスライスレベルが夫々選択設定される。
【００３８】
ここで、ロールオフフィルタ３０ｄ，３０ｅの出力信号は、ＱＰＳＫ変調方式のデジタル衛星放送信号の場合、夫々２値の信号であり、これら２つの２値信号によって上記の４つのデータが表わされる。従って、この場合には、識別手段３０ｇに夫々の２値信号毎に１つずつスライスレベルが設定される。これに対し、８ＰＳＫ変調方式のデジタル衛星放送信号の場合、ロールオフフィルタ３０ｄ，３０ｅの出力信号は夫々４値の信号であり、これら２つの４値信号によって上記の８つのデータが表わされる。従って、この場合には、識別手段３０ｇに夫々の４値信号毎に３つずつスライスレベルが設定される。
【００３９】
なお、識別手段３０ｇでのかかるＱＰＳＫ変調方式と８ＰＳＫ変調方式とでのスライスレベルの選択は、上記のように、変調方式判定手段３３（図１）の判定結果や、フロントエンド５０（図１）から出力される復調出力信号１２２に含まれる上記の情報に応じて行なわれる。
【００４０】
このようにして、ＱＰＳＫ／８ＰＳＫ復調手段３０は、ＱＰＳＫ変調方式によるデジタル衛星放送信号と８ＰＳＫ変調方式によるデジタル衛星放送信号とをともに復調することができ、これらの真の復調Ｉ信号１３３と復調Ｑ信号１３４とが得られる。
【００４１】
なお、図１において、ＱＰＳＫ／８ＰＳＫ・ＦＥＣ手段３１は、まず、以上のようにして得られた復調Ｉ信号１３３と復調Ｑ信号１３４とから、これが表わすデータに応じた元のｎ個のビットを復元する。即ち、変調方式判定手段３３の判定結果により、受信信号がＱＰＳＫ変調方式によるデジタル衛星放送信号である場合には、上記の４通りのデータのいずれかに応じてそのデータに対応する元の２ビットを復元し、受信信号が８ＰＳＫ変調方式によるデジタル衛星放送信号である場合には、上記の８通りのデータのいずれかに応じてそのデータに対応する元の３ビットを復元する。
【００４２】
そして、このように元のビットストリームを復元すると、ＱＰＳＫ／８ＰＳＫＦＥＴ手段３１は、このビットストリームに対してエラー訂正やデインタリーブなどの処理を行なう。この場合、このエラー訂正のためのエラー検出訂正コードは、送信側において、デジタル衛星放送信号に付加されるものであり、かかるエラー検出訂正コードが付加されたビットストリームに対してＱＰＳＫ変調や８ＰＳＫ変調が行なわれるトレリス符号化が採られている。従って、この場合には、図３（ａ），（ｂ）に示すコンスタレーションにおいて、各データ点はかかるエラー検出訂正コードも含んだものである。
【００４３】
図４は本発明によるデジタル衛星放送用受信機の第２の実施形態を示すブロック図であって、１ａ，１ｂはハイパスフィルタ、２ａ，２ｂは前置増幅器、１００ａ，１００ｂは高周波入力端子、１０１ａ，１０１ｂは電源端子、３０１は入力切換手段であり、図１に対応する部分には同一符号を付けて重複する説明を省略する。
【００４４】
同図において、高周波入力端子１００ａには、ＱＰＳＫ変調方式によるデジタル衛星放送信号を受信するためのアンテナなどからなる室外ユニット（図示せず）が接続されており、この室外ユニットには、電源端子１０１ａから電源電圧が供給される。この室外ユニットで受信されたＱＰＳＫ変調方式のデジタル衛星放送信号は、ハイパスフィルタ１ａを介し、さらに、前置増幅器２ａで増幅された後、可変同調フィルタ３に供給される。同様にして、高周波入力端子１００ｂには、８ＰＳＫ変調方式によるデジタル衛星放送信号を受信するためのアンテナなどからなる室外ユニット（図示せず）が接続されており、この室外ユニットには、電源端子１０１ｂから電源電圧が供給される。この室外ユニットで受信された８ＰＳＫ変調方式のデジタル衛星放送信号は、ハイパスフィルタ１ｂを介し、さらに、前置増幅器２ｂで増幅された後、可変同調フィルタ３に供給される。
【００４５】
なお、この可変同調フィルタ３以降の構成及び動作は、図１に示した第１の実施形態と同様であるので、説明を省略する。
【００４６】
さて、この第２の実施形態では、前置増幅器２ａ，２ｂがＯＮ/ＯＦＦ機能も備えており、受信信号がＱＰＳＫ変調方式，８ＰＳＫ変調方式のいずれかを表わすマイコン３００からの上記のデータを基に、入力切換手段３０１により、そのいずれか一方がＯＮで他方がＯＦＦであるように、これらがＯＮ，ＯＦＦ制御される。従って、例えば、ユーザがＱＰＳＫ変調方式によるデジタル衛星放送の受信のための操作をしたものとすると、マイコン３００からのデータはこれの受信を指示しており、これにより、入力切換手段３０１は前置増幅器２ａをＯＮ、前置増幅器２ｂをＯＦＦに夫々設定する。また、ユーザが８ＰＳＫ変調方式によるデジタル衛星放送の受信のための操作をしたものとすると、マイコン３００からのデータはこれの受信を指示しており、これにより、入力切換手段３０１は前置増幅器２ｂをＯＮ、前置増幅器２ａをＯＦＦに夫々設定する。
【００４７】
このようにして、この第２の実施形態は、先の第１の実施形態と同様の効果を奏する上、異なる変調方式を受信するための個々の室外ユニットの取替えを行なうことなく、単に受信を希望する変調方式を指定操作するだけでこの希望する変調方式のデジタル衛星放送を選択受信することが可能となる。従って、この第２の実施形態においても、デジタル衛星放送を受信するテレビジョン受像機やＶＴＲへの組込みに対して小型化が図れ、有効なものとなる。
【００４８】
図５は本発明によるデジタル衛星放送用受信機の第３の実施形態の示すブロック図であって、３５ａ，３５ｂは屋外ユニット、３６は暗号解読手段、３７はデマルチプレクサ手段、３８はデジタル伸長手段、３９は映像信号処理手段、４０は音声信号処理手段、４１はデジタル衛星放送用受信機、１４０はビデオ出力端子、１４１は音声出力端子であり、また、５０は図１及び図４におけるフロントエンド５０である。
【００４９】
同図において、ＱＰＳＫ変調方式のデジタル衛星放送受信用の屋外ユニット３５ａと８ＰＳＫ変調方式のデジタル衛星放送受信用の屋外ユニット３５ｂとがデジタル衛星放送用受信機４１のフロントエンド５０に接続されており、夫々の受信信号がフロントエンド５０に入力される。
【００５０】
ここで、このフロントエンド５０が図１に示した第１の実施形態でのフロントエンド５０である場合には、屋外ユニット３５ａ，３５ｂが手動でフロントエンド５０に切り換え接続されるものであり、これらいずれかで受信されたデジタル衛星放送信号がこのフロントエンド５０の入力端子１００に供給される。また、このフロントエンド５０が図４に示した第２の実施形態でのフロントエンド５０である場合には、屋外ユニット３５ａ，３５ｂが夫々フロントエンド５０の入力端子１００ａ，１００ｂに接続されている。
【００５１】
フロントエンド５０では、上記のように復調などの処理が行なわれ、その復調出力は、暗号解読手段３６で受信されたデジタル衛星放送信号に掛けられている暗号が解除された後、デマルチプレクサ手段３７で希望番組が選択され、さらに、デジタル伸長手段３８で選択された番組情報がデータ伸長される。このデジタル伸長手段３８の出力は、映像信号処理手段３９と音声信号処理手段４０とに供給され、夫々からビデオ信号出力１４０，音声出力１４１が得られる。
【００５２】
この実施例においては、フロントエンド５０として、図１，図４に示したＱＰＳＫ変調方式と８ＰＳＫ変調方式との両方に対して動作する単一の復調処理手段を内蔵するため、かかるデジタル衛星放送用受信機の小型化が図れる。
【００５３】
図６はテレビジョン受像機としての本発明によるデジタル衛星放送用受信機を用いた装置の第１の実施形態の示すブロック図であって、４２は表示手段、４３はスピーカ、４４はテレビジョン受像機であり、図５に対応する部分には同一符号をつけて重複する説明を省略する。
【００５４】
同図において、この実施形態は、図５に示したデジタル衛星放送用受信機４１を内蔵したテレビジョン受像機４４である。デジタル衛星放送用受信機４１からのビデオ出力１４０は表示手段４２に供給されて映像表示が行なわれ、また、音声出力１４１はスピーカ４３に供給されて音声再生が行なわれる。
【００５５】
この実施形態においても、上記実施形態と同様に、フロントエンド５０内にＱＰＳＫ変調方式と８ＰＳＫ変調方式の両方に対応する復調処理手段を内蔵するため、デジタル衛星放送用受信機４１の小型化が図れ、テレビジョン受像機４４への内蔵化が容易となる。
【００５６】
なお、この実施形態は、テレビジョン受像機に関するものであったが、ビデオ録画再生装置（ＶＴＲ）であっても、その受信部に図１，図４に示すフロントエンド５０あるいは図５に示すデジタル衛星放送用受信機４１を用いることができ、図５に示した実施形態と同様な効果が得られることは明らかである。
【００５７】
【発明の効果】
以上説明したように、本発明によれば、２つの異なるＰＳＫ変調方式のデジタル衛星放送信号を受信する受信機において、これらを復調するディジタル復調手段を夫々の変調方式に共用することを可能にしたものであるから、従来必要としていた２組のデジタル復調手段を１組に削減できることなり、回路構成が簡略化，小型化されることになるし、さらに、フロントエンドへの内蔵が可能となって、回路構成のさらなる小型化が図れることになる。
【００５８】
また、本発明によれば、指定する変調方式の判定結果に連動して、異なるＰＳＫ変調方式のデジタル衛星放送信号を受信するアンテナの選択切換えを行なうことができ、従来のアンテナ切換えの手間を省くことができる。
【００５９】
さらに、本発明によれば、テレビ受信機やＶＴＲなどへ内蔵するのに好適な小型のデジタル衛星放送用受信機を実現できる。
【図面の簡単な説明】
【図１】本発明によるデジタル衛星放送用受信機の第１の実施形態を示すブロック図である。
【図２】図１でのＱＰＳＫ／８ＰＳＫ復調手段の一具体例を示すブロック図である。
【図３】ＱＰＳＫ変調方式と８ＰＳＫ変調方式とでのコンスタレーションを示す図である。
【図４】本発明によるデジタル衛星放送用受信機の第２の実施形態を示すブロック図である。
【図５】本発明によるデジタル衛星放送用受信機の第３の実施形態を示すブロック図である。
【図６】本発明によるデジタル衛星放送用受信機を適用したテレビジョン受像機の一実施形態を示すブロック図である。
【図７】従来のデジタル衛星放送用受信機の一例を示すブロック図である。
【符号の説明】
１，１ａ，１ｂ  ハイパスフィルタ
２，２ａ，２ｂ  前置増幅器
５  ミクサ
６  発振器
７  周波数シンセサイザ
２６  ミクサ
２７  発振器
２９  Ａ/Ｄ変換器
３０  ＱＰＳＫ／８ＰＳＫ復調手段
３０ａ，３０ｂ  複素乗算器
３０ｃ  発振器
３０ｄ,３０ｅ  ロールオフフィルタ
３０ｆ  キャリア再生手段
３０ｇ  識別手段
３１  ＱＰＳＫ／８ＰＳＫ・ＦＥＣ手段
３２  クロック再生手段
３３  変調方式判定手段
３４  デジタル復調手段
３５ａ，３５ｂ  屋外ユニット
３６  暗号解読手段
３７  デマルチプレクサ手段
３８  デジタル伸長手段
３９  映像信号処理手段
４０  音声信号処理手段
４１  デジタル衛星放送用受信機
４２  表示手段
４３  スピーカ
４４  テレビジョン受像機
５０  フロントエンド
１００ａ，１００ｂ  高周波入力端子
１２２  復調出力
１２３  再生クロック
１３２  低周波のデジタル衛星放送信号
１３３  復調Ｉ信号
１３４  復調Ｑ信号
３００  マイコン
３０１  入力切換手段
【図１】
0003832941.tif 000002
【図２】
0003832941.tif 000003
【図３】
0003832941.tif 000004
【図４】
0003832941.tif 000005
【図５】
0003832941.tif 000006
【図６】
0003832941.tif 000007
【図７】
0003832941.tif 000008